(57)【要約】【課題】かつらにおいて、外観を自然に見せる。【解決手段】人毛又は人工毛からなる毛髪４をかつらベースに植毛してなるかつらにおいて、上記かつらベースの前頭部３における毛髪４の生え際部４ａを頭皮に沿った方向に凹凸状に形成し、少なくとも前頭部３の一部において凹凸状の生え際部４ａから頭頂部５方向にかけて植毛密度を位置により異ならせた構成とする。【選択図】図２
2007224454.tif 000002
【特許請求の範囲】
【請求項１】
人毛又は人工毛からなる毛髪をかつらベースに植毛してなるかつらにおいて、
前記かつらベースの前頭部における前記毛髪の生え際部を頭皮に沿った方向に凹凸状に形成し、少なくとも前記前頭部の一部において前記凹凸状の生え際部から頭頂部方向にかけて植毛密度を位置により異ならせたことを特徴とするかつら。
【請求項２】
前記凹凸状の生え際部が、波状の生え際部であることを特徴とする請求項１記載のかつら。
【請求項３】
少なくとも前記前頭部の一部において前記凹凸状の生え際部から前記頭頂部方向にかけて植毛密度を徐々に高くしたことを特徴とする請求項１又は請求項２記載のかつら。
【請求項４】
前記生え際部から前記頭頂部方向にかけての植毛密度の異なる領域の境界も、前記頭皮に沿った方向に凹凸状であることを特徴とする請求項１から請求項３のいずれか１項記載のかつら。
【請求項５】
前記かつらベースの前頭部がネット状であることを特徴とする請求項１から請求項４のいずれか１項記載のかつら。
【発明の詳細な説明】
【技術分野】
【０００１】
本発明は、外観を自然に見せるかつらに関し、更に詳しくは、生え際部を頭皮に沿った方向に凹凸状に形成すると共に、生え際部から頭頂部方向にかけて植毛密度を異ならせる技術に関する。
【背景技術】
【０００２】
かつらは、一般的に薄毛に悩む人が着用するものであり、実際の頭部であるかのように見せるものでなければならない。そのため、例えば、特許文献１（実開昭６２−１１４０１８号公報）では、前頭部にギザギザの凹凸部を有するネットを設けたかつらが提案されている。
【特許文献１】実開昭６２−１１４０１８号公報
【発明の開示】
【発明が解決しようとする課題】
【０００３】
ところで、実際の人の頭髪は、前頭部における生え際が凹凸状であり、且つ頭部の位置により頭髪密度が異なっている。そのため、上記特許文献１のかつらは、前頭部の生え際に凹凸部を設けてはいるが、自然な外観を得ることができなかった。
本発明の課題は、上記従来の実情に鑑み、外観を自然に見せるかつらを提供することである。
【課題を解決するための手段】
【０００４】
上記課題を解決するために、本発明のかつらは、人毛又は人工毛からなる毛髪をかつらベースに植毛してなるかつらにおいて、上記かつらベースの前頭部における上記毛髪の生え際部を頭皮に沿った方向に凹凸状に形成し、少なくとも上記前頭部の一部において上記凹凸状の生え際部から頭頂部方向にかけて植毛密度を位置により異ならせた構成とする。
上記構成によれば、人の頭髪の凹凸状の生え際、及び人の頭髪の位置による頭髪密度の違いを再現することができる。
【０００５】
また、上記凹凸状の生え際部が、波状の生え際部である構成としてもよい。
上記構成によれば、人の頭髪の凹凸状の生え際をより有効に再現することができる。
好ましくは、少なくとも上記前頭部の一部において上記凹凸状の生え際部から上記頭頂部方向にかけて植毛密度を徐々に高くした構成とする。
上記構成によれば、人の頭髪の位置による頭髪密度の違いをより近似させて再現することができる。
【０００６】
好ましくは、上記生え際部から上記頭頂部方向にかけての植毛密度の異なる領域の境界も、上記頭皮に沿った方向に凹凸状である構成とする。
上記構成によれば、植毛密度の異なる領域間の植毛密度の差異を視認させにくくすることができる。
【０００７】
また、上記かつらベースの前頭部がネット状である構成としてもよい。
上記構成によれば、生え際に豊富に毛髪がある人の生え際と頭頂部との間に生え際部が位置するようにかつらを装着する場合でも、かつらを目立ちにくくすることができる。
【発明の効果】
【０００８】
本発明によれば、毛髪の生え際部を頭皮に沿った方向に凹凸状に形成し、少なくとも前頭部の一部において上記凹凸状の生え際部から頭頂部方向にかけて植毛密度を位置により異ならせたことにより、人の頭髪の凹凸状の生え際、及び人の頭髪の位置による頭髪密度の違いを再現することができ、外観を自然に見せることができる。
【発明を実施するための最良の形態】
【０００９】
以下、本発明の実施形態に係るかつらについて図面を参照しながら説明する。
図１は、本発明の実施形態に係るかつらを示す平面図である。
同図において、かつら１は、人毛又は人工毛からなる毛髪（図示は省略）が植毛されるネット状のかつらベース２からなる。かつらベース２の前頭部３は、後述するが、毛髪の生え際部の頭皮に沿った方向への波状（凹凸状）に合わせ、先端部３ａが波状（細かい波状のため太線で示す）に形成されている。なお、前頭部３とは、頭頂部５から前方（同図中では上方向）をいうものとし、例えば、側頭部の一部やこめかみも前頭部３に含まれる。
【００１０】
図２は、本発明の第１実施形態に係るかつらの前頭部の一部を示す模式図である。
同図において、前頭部３の先端部３ａは、植毛される毛髪４の波状（凹凸状）の生え際部４ａに合わせて波状に切り取られている。生え際部４ａ（先端部３ａ）の波状凸部中心位置４ｂ，４ｂ，・・・，４ｂは、間隔Ｌ１毎に形成されている。この間隔Ｌ１の長さは、１ｍｍ〜３０ｍｍ、好ましくは２ｍｍ〜２０ｍｍ、より好ましくは１０ｍｍ〜２０ｍｍの範囲にあることが望ましい。
【００１１】
また、頭頂部５から生え際４ａに向かう方向における、凸部中心位置４ｂと凹部中心位置４ｃとの間隔Ｌ２の長さは、間隔Ｌ１の長さにもよるが、１ｍｍ〜１５ｍｍ、より好ましくは５ｍｍ〜１０ｍｍにあることが望ましい。
なお、間隔Ｌ１及び間隔Ｌ２は、生え際部４ａの全体に亘ってそれぞれ一定の長さである必要はなく、上記の範囲内で間隔を適宜変更することで良好な外観を得ることも可能である。
【００１２】
また、毛髪４は、少なくとも前頭部３の一部において生え際部４ａから頭頂部５方向にかけて植毛密度が位置により異なっている。本実施形態では、生え際４ａに沿う領域の領域Ａから頭頂部５へ向かう領域Ｂ，領域Ｃの領域毎に植毛密度が異なっている。領域Ａ，Ｂ，Ｃの植毛密度の関係は、Ａ＜Ｂ＜Ｃとするとよい。ここで、領域Ａと領域Ｂとの境界を示す線３ｂ、及び領域Ｂと領域Ｃとの境界を示す線３ｃは、それぞれ頭皮に沿った方向に凹凸状になっている。なお、境界線３ｂ，３ｃは、密度の異なる領域を明確にするための想像線として示しており、実際に見えるものではない。
【００１３】
本実施形態では、生え際部４ａが波状を形成するように毛髪４を植毛した後に、前頭部３の先端部３ａをこの生え際部４ａに沿って切り取っているが、例えば、波状に切り取られた先端部３ａに毛髪４を植毛すること等によっても、毛髪４の生え際部４ａを波状にすることは可能である。また、生え際部４ａを波状に植毛した後に、先端部３ａをそれに合わせて波形に切り取る必要はなく、頭皮との密着性や外観等を考慮して先端部３ａを他の任意の凹凸状に切り取ることも考えられる。
【００１４】
なお、かつらベース２は、ネット状として説明したが、人工皮膚としてのポリウレタン等を用いることでも良好な外観を得ることができる。
しかしながら、かつらベース２を上記のようにネット状にすることで、生え際に豊富に毛髪がある人の生え際と頭頂部との間に、生え際部４ａが位置するようにかつら１を装着する場合でも、かつらベース２が目立たなくなる。更には、人の頭部における生え際の自毛が波状の先端部３ａに入り込み、自毛と先端部３ａに植毛される毛髪４とのなじみが高まる。そのため、自毛と毛髪４との混毛が容易になると共に、かつら１の外観が自然に見える。したがって、本発明のかつらは、人の頭部全体を覆う全体かつらのみならず、部分かつらにも有効に適用可能である。
【００１５】
上述のように、本実施形態に係るかつら１は、毛髪４の生え際部４ａを頭皮に沿った方向に凹凸状として波状に形成し、少なくとも前頭部３の一部において波状の生え際部４ａから頭頂部５方向にかけて植毛密度を位置（領域Ａ，Ｂ，Ｃ）により異ならせた構成としてある。ここで、人の頭髪は、前頭部における生え際が凹凸状であり、且つ頭部の位置により頭髪密度が異なっている。よって、本実施形態に係るかつら１によれば、人の頭髪の凹凸状の生え際、及び人の頭髪の位置による頭髪密度の違いを再現することができるため、外観を自然に見せることができる。
【００１６】
また、植毛される毛髪４の生え際部４ａを、凹凸状として波状にしたことにより、人の頭髪をより有効に再現することができ、外観を一層自然に見せることができる。
更に、少なくとも前頭部３において波状の生え際部４ａから頭頂部５方向にかけて植毛密度を徐々に高くしたことにより、人の頭髪をより近似させて再現することができ、外観をより一層自然に見せることができる。
【００１７】
また、生え際部４ａから頭頂部５方向にかけての植毛密度の異なる領域Ａ，Ｂ，Ｃの境界３ｂ，３ｃも頭皮に沿った方向に凹凸状としたことにより、植毛密度の差異を視認させにくくすることができ、外観を一層自然に見せることができる。
【００１８】
更に、かつらベース２の前頭部３がネット状である構成としたことにより、かつら１の生え際部４ａが生え際に豊富に毛髪がある人の生え際と頭頂部との間に位置するようにかつら１を装着しても、かつらベース２が目立たなくなる。更には、人の頭部における生え際の自毛が波状の先端部３ａに入り込み、自毛と先端部３ａに植毛される毛髪４とのなじみが高まる。そのため、自毛と毛髪４との混毛を容易にすることができると共に、かつら１の外観をより一層自然に見せることができる。
【００１９】
図３は、本発明の第２実施形態に係るかつらの前頭部の一部を示す模式図である。
本実施形態は、毛髪１４の生え際部１４ａの形状が異なる点のみ上記第１実施形態と相違するため、適宜省略しながら説明する。
同図において、前頭部１３の先端部１３ａは、頭皮に沿った方向に凹凸状の毛髪１４の生え際部１４ａに合わせて切り取られている。ここで、本実施形態の生え際部１４ａの凹凸は、生え際方向に沿って連続的に形成されている。生え際部１４ａ（先端部１３ａ）の凸部中心位置１４ｂ，１４ｂ，・・・，１４ｂは、間隔Ｌ１１毎に形成されている。この間隔Ｌ１１は、１ｍｍ〜３０ｍｍ、好ましくは２ｍｍ〜２０ｍｍ、より好ましくは１０ｍｍ〜２０ｍｍの範囲にあることが望ましい。
【００２０】
また、頭頂部１５から生え際１４ａに向かう方向における、凸部中心位置１４ｂと凹部中心位置１４ｃとの間隔Ｌ１２は、間隔Ｌ１１の長さにもよるが、１ｍｍ〜１５ｍｍ、より好ましくは５ｍｍ〜１０ｍｍにあることが望ましい。
なお、間隔Ｌ１１及び間隔Ｌ１２は、生え際部１４ａの全体に亘ってそれぞれ同一の間隔である必要はなく、上記の範囲内で長さを適宜変更することで良好な外観を得ることも可能である。
【００２１】
本実施形態に係るかつらは、毛髪１４の生え際部１４ａを頭皮に沿った方向に形成され且つ生え際方向に沿って連続的に形成される凹凸状にし、少なくとも前頭部１３の一部において凹凸状の生え際部１４ａから頭頂部１５方向にかけて植毛密度を位置（領域Ａ，Ｂ，Ｃ）により異ならせた構成としてある。ここで、人の頭髪は、前頭部における生え際が凹凸状であり、且つ頭部の位置により頭髪密度が異なっている。よって、本実施形態に係るかつらによれば、上記第１実施形態と同様に、人の頭髪の凹凸状の生え際、及び人の頭髪の位置による頭髪密度の違いを再現することができるため、外観を自然に見せることができる。
【００２２】
図４は、本発明の第３実施形態に係るかつらの前頭部の一部を示す模式図である。
本実施形態は、毛髪２４の生え際部２４ａの形状が異なる点のみ上記第１実施形態及び第２実施形態と相違するため、適宜省略しながら説明する。
同図において、前頭部２３の先端部２３ａは、頭皮に沿った方向に鋸状（凹凸状）の毛髪１４の生え際部１４ａに合わせて切り取られている。生え際部２４ａ（先端部２３ａ）の凸部中心位置２４ｂ，２４ｂ，・・・，２４ｂは、間隔Ｌ２１毎に形成されている。この間隔Ｌ２１は、１ｍｍ〜３０ｍｍ、好ましくは２ｍｍ〜２０ｍｍ、より好ましくは１０ｍｍ〜２０ｍｍの範囲にあることが望ましい。
【００２３】
また、頭頂部２５から生え際２４ａに向かう方向における、凸部中心位置２４ｂと凹部中心位置２４ｃとの間隔Ｌ２２は、間隔Ｌ２１の長さにもよるが、１ｍｍ〜１５ｍｍ、より好ましくは５ｍｍ〜１０ｍｍにあることが望ましい。
なお、間隔Ｌ２１及び間隔Ｌ２２は、生え際部２４ａの全体に亘ってそれぞれ同一の間隔である必要はなく、上記の範囲内で長さを適宜変更することで良好な外観を得ることも可能である。
【００２４】
本実施形態に係るかつらは、毛髪２４の生え際部２４ａを頭皮に沿った方向に鋸状（凹凸状）に形成し、少なくとも前頭部２３の一部において凹凸状の生え際部２４ａから頭頂部２５方向にかけて植毛密度を位置（領域Ａ，Ｂ，Ｃ）により異ならせた構成としてある。ここで、人の頭髪は、前頭部における生え際が凹凸状であり、且つ頭部の位置により頭髪密度が異なっている。よって、本実施形態に係るかつらによれば、上記第１実施形態及び第２実施形態と同様に、人の頭髪の凹凸状の生え際、及び人の頭髪の位置による頭髪密度の違いを再現することができるため、外観を自然に見せることができる。
【図面の簡単な説明】
【００２５】
【図１】本発明の実施形態に係るかつらを示す平面図である。
【図２】本発明の第１実施形態に係るかつらの前頭部の一部を示す模式図である。
【図３】本発明の第２実施形態に係るかつらの前頭部の一部を示す模式図である。
【図４】本発明の第３実施形態に係るかつらの前頭部の一部を示す模式図である。
【符号の説明】
【００２６】
１      かつら
２      かつらベース
３      前頭部
３ａ      先端部
３ｂ      領域境界線
３ｃ      領域境界線
４      毛髪
４ａ      生え際部
４ｂ      凸部中心位置
４ｃ      凹部中心位置
５      頭頂部
Ａ，Ｂ，Ｃ      領域
Ｄ      生え際方向
【図１】
2007224454.tif 000003
【図２】
2007224454.tif 000004
【図３】
2007224454.tif 000005
【図４】
2007224454.tif 000006